(57)【要約】【課題】間仕切り壁の全体構造を簡素化し、組立てを簡単に行えるようにし、間仕切り壁としての施工性を向上させ、さらに遮音性能を確保する。【解決手段】アングル状を呈し、四角枠を構成するように枠組みされる上下、左右のランナ１１〜１４と、上、下ランナ間に立設した状態で所定間隔をおいて並設される複数本のスタッド１５，１６，１７と、これらのスタッドを内設するように表、裏面に張り付けられる一対の石膏ボード２２，２３と、四角枠内であって石膏ボード間に介在される蛇行して組み込まれる断熱材２４を備える。スタッドは、上、下ランナによる溝部１１ａ，１２ａの溝幅よりも小さい外形寸法をもち、該溝部内に千鳥状に配列される。一方の石膏ボードは、この石膏ボード寄りに配列されているスタッドにビス止めされ、他方の石膏ボードは、この石膏ボード寄りに配列され、前記一方の石膏ボードがビス止めされていないスタッドにビス止めされる。【選択図】　　　　図４
2004084221.tif 000002
【特許請求の範囲】
【請求項１】
アングル状を呈し、四角枠を構成するように枠組みされる上下、左右のランナと、
前記上、下ランナ間に立設した状態で所定間隔をおいて並設される複数本のスタッドと、
これらのスタッドを内設するように前記四角枠の表、裏面に張り付けられる一対の石膏ボードと、
前記四角枠内であって石膏ボード間に介在される断熱材とを備えてなり、
前記スタッドは、前記上、下ランナによる溝部の溝幅よりも小さい外形寸法をもち、該溝部内に千鳥状に配列されるとともに、
一方の石膏ボードは、この石膏ボード寄りに配列されているスタッドにビス止めされ、
他方の石膏ボードは、この石膏ボード寄りに配列され、前記一方の石膏ボードがビス止めされていないスタッドにビス止めされていることを特徴とする間仕切り壁構造。
【請求項２】
請求項１記載の間仕切り壁構造において、
前記ランナは、薄肉鋼板によってアングル状に形成され、その溝部が内向きになるように配置されるとともに、間仕切り壁が設けられる天井面、床面および隣接する内壁面に取付け固定されていることを特徴とする間仕切り壁構造。
【請求項３】
請求項１または請求項２記載の間仕切り壁構造において、
前記スタッドは、薄肉鋼板によって角パイプ状に形成されていることを特徴とする間仕切り壁構造。
【請求項４】
請求項３記載の間仕切り壁構造において、
前記スタッドは、それぞれの端部を上、下ランナの溝部内であっていずれか一方のフランジに当接した状態で立設されるとともに、他方のフランジとの間にスペーサが嵌め込まれることによって固定されていることを特徴とする間仕切り壁構造。
【請求項５】
アングル状を呈し、四角枠を構成するように枠組みされる上下、左右のランナと、上、下ランナによる溝部の溝幅よりも小さい外形寸法をもち、前記上、下ランナ間に立設した状態で所定間隔をおいて並設される複数本のスタッドと、これらのスタッドを内設するように前記四角枠の表、裏面に張り付けられる一対の石膏ボードと、前記四角枠内であって石膏ボード間に介在される断熱材とからなる間仕切り壁を施工する方法であって、
上下、左右のランナを、間仕切り壁を設置する天井面、床面および隣接する内壁面に取付け固定するとともに、
複数本のスタッドを、上、下ランナによる溝部内にそれぞれの端部を臨ませることにより立設し、しかも該ランナの長手方向に沿って千鳥状に配列されるように並設し、
しかる後一方の石膏ボードを四角枠の片面に配置し、この石膏ボード側に配列されているスタッドに対してビス止めし、
断熱材を、四角枠内に蛇行させながら組み込んだ後、
他方の石膏ボードを四角枠の他方の片面に配置し、この石膏ボード側に配列されているスタッドに対してビス止めすることを特徴とする間仕切り壁構造の施工方法。
【発明の詳細な説明】
【０００１】
【発明の属する技術分野】
本発明は、遮音性能に優れた間仕切り壁構造およびその施工方法に関する。
【０００２】
【従来の技術】
建物の内壁を構成する間仕切り壁として、従来から種々の構造のものが知られている。
たとえば実開昭６１−１７０６１１号公報には、室内の天井および床に設けた上、下ランナ間に、二列にスタッドを配設するとともに、これらのスタッドを橋絡するように両側にボード取付板を固定し、これらのボード取付板に表裏面を覆うボードを取り付けている。この従来例では、上記のスタッドが千鳥状配列となっており、ボード間への断熱材の組み込みを蛇行させることで連続して行えるから、遮音性の面で有利となるものであった。
【０００３】
【発明が解決しようとする課題】
しかしながら、上述した従来の間仕切り壁構造では、上、下ランナ間に千鳥状配列でスタッドを二列に設けるとともに、これらのスタッドに複数本のボード取付板をねじ止めすることで、壁の下地材を組み立てており、さらにそれぞれのボード取付板に対してボードをねじ止めしていることから、全体の構造が複雑で、また構成部品点数も多く、組立てにも手間がかかり、施工性やコスト面で問題であった。
【０００４】
また、上述した従来構造において、ランナやスタッド、さらにボード取付板は薄肉鋼板等によって形成されているため、間仕切り壁としての遮音性能の面で充分に注意を要するという問題があった。すなわち、鋼材で下地材が形成されていることから、各部材どおしの連結状態、特にスタッドとランナとの連結状態によっては、一方のボード側に生じた振動や音が他方のボード側に伝わってしまうため、振動吸収、遮音が充分に取れないという問題があった。
【０００５】
本発明はこのような事情に鑑みてなされたものであり、ランナとスタッド、さらに断熱材、石膏ボード等を組み合わせることで構成されている間仕切り壁の全体構造を簡素化し、組立てをきわめて簡単に行えるようにし、間仕切り壁としての施工性を向上させるとともにコスト低減を図り、また遮音性能を向上させることができる間仕切り壁構造およびその施工方法を得ることを目的とする。
【０００６】
【課題を解決するための手段】
このような目的に応えるために本発明（請求項１記載の発明）に係る間仕切り壁構造は、アングル状を呈し、四角枠を構成するように枠組みされる上下、左右のランナと、上、下ランナ間に立設した状態で所定間隔をおいて並設される複数本のスタッドと、これらのスタッドを内設するように前記四角枠の表、裏面に張り付けられる一対の石膏ボードと、四角枠内であって石膏ボード間に介在される断熱材とを備えてなり、スタッドは、上、下ランナによる溝部の溝幅よりも小さい外形寸法をもち、該溝部内に千鳥状に配列されるとともに、一方の石膏ボードは、この石膏ボード寄りに配列されているスタッドにビス止めされ、他方の石膏ボードは、この石膏ボード寄りに配列され、前記一方の石膏ボードがビス止めされていないスタッドにビス止めされていることを特徴とする。
【０００７】
本発明（請求項２記載の発明）に係る間仕切り壁構造は、請求項１において、ランナは、薄肉鋼板によってアングル状に形成され、その溝部が内向きになるように配置されるとともに、間仕切り壁が設けられる天井面、床面および隣接する内壁面に取付け固定されていることを特徴とする。
【０００８】
本発明（請求項３記載の発明）に係る間仕切り壁構造は、請求項１または請求項２において、スタッドは、薄肉鋼板によって角パイプ状に形成されていることを特徴とする。
【０００９】
本発明（請求項４記載の発明）に係る間仕切り壁構造は、請求項３において、スタッドは、それぞれの端部を上、下ランナの溝部内であっていずれか一方のフランジに当接した状態で立設されるとともに、他方のフランジとの間にスペーサが嵌め込まれることによって固定されていることを特徴とする。
【００１０】
本発明（請求項５記載の発明）に係る間仕切り壁構造の施工方法は、アングル状を呈し、四角枠を構成するように枠組みされる上下、左右のランナと、上、下ランナによる溝部の溝幅よりも小さい外形寸法をもち、前記上、下ランナ間に立設した状態で所定間隔をおいて並設される複数本のスタッドと、これらのスタッドを内設するように前記四角枠の表、裏面に張り付けられる一対の石膏ボードと、前記四角枠内であって石膏ボード間に介在される断熱材とからなる間仕切り壁を施工する方法であって、上下、左右のランナを、間仕切り壁を設置する天井面、床面および隣接する内壁面に取付け固定するとともに、複数本のスタッドを、上、下ランナによる溝部内にそれぞれの端部を臨ませることにより立設し、しかも該ランナの長手方向に沿って千鳥状に配列されるように並設し、しかる後一方の石膏ボードを四角枠の片面に配置し、この石膏ボード側に配列されているスタッドに対してビス止めし、断熱材を、四角枠内に蛇行させながら組み込んだ後、他方の石膏ボードを四角枠の他方の片面に配置し、この石膏ボード側に配列されているスタッドに対してビス止めすることを特徴とする。
【００１１】
本発明によれば、アングル状のランナを天井面、床面、内壁面というように上下、左右に配置させて設け、上、下ランナ間に複数本のスタッドを、千鳥状配列で立設させるように介在させ、断熱材を蛇行させて組み込んだ後、各石膏ボードを異なるスタッドにビス止めすることで、間仕切り壁を構成できるから、全体の構造が簡単で、組立ても容易であり、施工性、コスト面で優れているにもかかわらず、遮音性能に優れた間仕切り壁を得ることができる。
【００１２】
特に、本発明によれば、千鳥状に配列したスタッドを、表裏面の石膏ボードのいずれか一方のみにビスで固定し、表、裏面のボードを直接連結していないことから、音、振動等の壁を伝っての伝達を防止し、遮音性能を発揮させることができる。
【００１３】
【発明の実施の形態】
図１ないし図５は本発明に係る間仕切り壁構造およびその施工方法の一つの実施の形態を示す。
【００１４】
これらの図において、全体の図示を省略した建築物の内部において、内壁の一部として間仕切り壁１が設けられている。この間仕切り壁１は、図３から明らかなように、天井面２と床面３、さらに左右の内壁面４，５によって構成される空間部を仕切るように設けられている。
【００１５】
前記間仕切り壁１は、図１、図２および図５に示すように、薄肉鋼板をアングル状に折曲げ形成することにより得られる４本のランナ１１〜１４を備え、上記の天井面２、床面３に適宜の固定手段、たとえばねじや接着剤等で取付け固定される上、下ランナ１１，１２と、該間仕切り壁１に隣接する建築物の内壁面４，５に立設した状態で取付け固定される左、右ランナ１３，１４によって構成されている。
【００１６】
これらのランナ１１〜１４を四角枠状に組み立てることによって、該間仕切り壁１の枠体（四角枠）が構成されることになる。ここで、左、右ランナ１３，１４は、その上、下端部を前記上、下ランナ１１，１２による溝部１１ａ，１２ａ内に臨ませた状態で組み立てられる。
【００１７】
前記上、下ランナ１１，１２間には、それぞれの端部をランナ１１，１２による溝部１１ａ，１２ａ内に臨ませた状態で立設される複数のスタッド１５，１６，１７が組み込まれている。これらのスタッド１５，１６，１７は、前記ランナ１１〜１４と同様に薄肉鋼板を角パイプ状に形成することによって得られるものであり、ここでは前記ランナ１１，１２の溝部１１ａ，１２ａの溝幅に応じた幅をもつ幅広な矩形断面をもつ第１のスタッド１５と、該溝部１１ａ，１２ａの溝幅よりも小さい幅寸法（ここでは約半分の幅）をもつ幅狭な矩形断面をもつ第２のスタッド１６，１７とによって構成されている。
【００１８】
第１のスタッド１５は、間仕切り壁１の強度を確保するように、該壁１の幅方向において所定間隔をおいた位置に設けられている。また、前記第２のスタッド１６，１７は、前記上、下ランナ１１，１２の溝部１１ａ，１２ａ内において溝幅方向の両側に交互に位置し、いわゆる千鳥状の配列となるようにして、前記第１のスタッド１５，１５間にそれぞれ数本づつ設けられている。
【００１９】
ここで、前記第１のスタッド１５は、上、下ランナ１１，１２の溝部１１ａ，１２ａ内にそれぞれの端部を嵌め込むことで立設されている。また、第２のスタッド１６，１７は、図６に示すように、それぞれの端部を上、下ランナ１１，１２の溝部１１ａ，１２ａ内に臨ませて、一方のフランジに当接した状態で立設するように組み込むとともに、空いている溝部分に、スペーサとして上記の第１のスタッド１５（あるいは第２のスタッド１６，１７）を構成する角パイプ１８を横置き状態で嵌め込むことによって、立設されている。ここで、角パイプ１８は、ランナ１１，１２の溝部１１ａ，１２ａを形成する他方のフランジと前記スタッド１６，１７との間に嵌め込まれることで、該スタッド１６，１７を固定している。
【００２０】
なお、このような角パイプ１８は、上記のスタッド１５，１６，１７を形成した角パイプの残りを利用したりすることで構成するとよい。また、この角パイプ１８の長さは適宜の長さでよく、要はスタッド１６，１７を溝部１１ａ，１２ａ内で嵌め込みによって固定できるものであればよい。
【００２１】
上述した構成によるランナ１１〜１４とスタッド１５，１６，１７とによる組立体は、間仕切り壁１の下地材となる部分であり、その内部において千鳥状に配列したスタッド１６，１７によるジグザグ状空間には、グラスウール等の断熱材２１がジグザグ状に屈曲して蛇行した状態で組み込まれている。
【００２２】
また、上述した組立体の表、裏面には、間仕切り壁１の表面部材である石膏ボード２２，２３が設けられ、これによって間仕切り壁１が構成されるようになっている。
【００２３】
ここで、一方の石膏ボード２２は、上記のスタッド１５，１６，１７のうち、スタッド１７に対してビス２４を打ち込むことで固定されている。また、他方の石膏ボード２３は、上記のスタッド１５，１６，１７のうちの残りのスタッド１５，１６にビス２４を打ち込むことで固定されている。このようにすれば、間仕切り壁１の表、裏面での音、振動の伝わりを最小限にすることができ、遮音性能を発揮させることができるのである。
【００２４】
なお、間仕切り壁１の表裏面を覆う石膏ボード２２，２３は、上述したスタッド１５，１６，１７へのビス止めと共に、その端部をランナ１１〜１４等にビス止めすることで取付け固定されるようになっている。このため、表裏面の石膏ボード２２，２３は、端部においてはランナを介して連結されることになるが、この部分での音、振動の伝わりは間仕切り壁１において無視できる程度のものであり、遮音性能には支障ないものである。これは、間仕切り壁１において、音等の伝わりに最も影響する部分は、壁１中央の、いわゆる腹の部分であることから理解されるところである。
【００２５】
また、前記石膏ボード２２，２３の端部は、図７（ａ），（ｂ）に示すように、コーキング材２８を天井面２（あるいは床面３や隣接している内壁面４，５でも同じ）に付着させておき、これをボード２２，２３の端部で押し潰すことにより密封状態で設けるとよい。
【００２６】
以上の構成による間仕切り壁１は、以下のようにして施工される。
すなわち、上、下、左、右のランナ１１〜１４を、図１ないし図５から明らかなように、枠組みした状態で、天井面２、床面３、隣接する内壁面４，５に取付け固定する。
【００２７】
そして、上、下ランナ１１，１２間に、スタッド１５，１６，１７を適宜の位置に立設し、スペーサとしての角パイプ１８を用いてスタッド１６，１７を固定することにより、全体として千鳥状の配列をもつように取り付ける。
【００２８】
次で、片面の石膏ボード２２（または２３）を張り付けし、各スタッド１６，１７によるジグザグ状空間内に、断熱材２１を蛇行させた状態で組み込む。そして、他方の石膏ボード２３（または２２）を張り付ける。ここで、これらの石膏ボード２２，２３の端部等の取り合い部分には、コーキング材２８を介在させて、いわゆるパテ処理を行う。
【００２９】
さらに、壁面四周の目地処理を行う。なお、この目地処理は、上記のランナ１１〜１４に対してスタッド１５，１６，１７を組み付けた後と、断熱材２１を組み込んだ後とに行うようにしてもよい。
【００３０】
以上のようにして得られる間仕切り壁１によれば、全体の構成が簡単で、組み立ても容易であるにもかかわらず、遮音性能に優れた間仕切り壁を得ることができる。特に、この間仕切り壁１では、スタッド１５，１６，１７を上、下ランナ１１，１２間で立設させた状態で組み付けるにあたって、溝部１１ａ，１２ａへの嵌め込み、スペーサである角パイプ１８を利用した嵌め込みで固定しているもので、組立てがきわめて簡単に行える。
【００３１】
また、このような間仕切り壁１では、千鳥状に配列したスタッド１５，１６，１７を、表裏面に張り付けられる石膏ボード２２，２３のいずれかにビス２４で固定していることから、両ボード２２，２３が直接には連結されておらず、したがって壁１の表裏面での音、振動等の伝わりを防ぐことができ、遮音性能をより一層向上させることができる。特に、このような遮音性能は、ランナ１１〜１４やスタッド１５，１６，１７が薄肉鋼板からなり、鋼製の下地材をもつ間仕切り壁１において必要とされるものであって、その有用性は大きい。
【００３２】
なお、本発明は上述した実施の形態で説明した構造には限定されず、各部の形状、構造等を適宜変形、変更し得ることはいうまでもない。
たとえば、上述した実施の形態では、強度上の観点からスタッド１５，１６，１７のうち、スタッド１５を、ランナ１１，１２の溝部１１ａ，１２ａの溝幅に応じた幅をもつ矩形断面形状で形成した例を説明したが、強度が確保できればこれを省略することは自由である。
【００３３】
また、上述した実施の形態では、ランナ１１〜１４やスタッド１５，１６，１７を薄肉鋼板によって形成した例を述べたが、必ずしもこれに限らず、適宜の材料により形成されたランナやスタッドを用いてもよい。たとえば上述した実施の形態において、薄肉鋼板によりアングル状に形成されたランナ１１〜１４のうち、左、右ランナ１３，１４としては、これを木材等による角材を用いて構成してもよい。
【００３４】
【発明の効果】
以上説明したように本発明に係る間仕切り壁構造およびその施工方法によれば、全体の構成が簡単で、組み立ても容易であるにもかかわらず、遮音性能に優れた間仕切り壁を得ることができる。特に、本発明によれば、スタッドを上、下ランナへの嵌め込みで組み付けていることから、組立てがきわめて簡単に行え、間仕切り壁の施工性、さらにはコスト面で優れている。
【００３５】
さらに、本発明によれば、千鳥状に配列したスタッドを、表裏面の石膏ボードのいずれか一方のみにビスで固定し、表裏面のボードを直接連結していないことから、音、振動等の壁を伝っての伝達を防止し、遮音性能を発揮させることができる。
【図面の簡単な説明】
【図１】本発明に係る間仕切り壁構造およびその施工方法の一つの実施の形態を示し、間仕切り壁の水平断面図である。
【図２】図１のＩＩ−ＩＩ線断面図である。
【図３】本発明に係る間仕切り壁構造およびその施工方法を適用する建物の内壁を示す図である。
【図４】図１の要部を拡大して示す断面図である。
【図５】本発明に係る間仕切り壁構造およびその施工方法を特徴づけるランナ、スタッドの組み立て状態を説明するための概略分解斜視図である。
【図６】ランナへのスタッドの組み込み部を拡大した斜視図である。
【図７】石膏ボードの端部の隣接する内壁面への連設状態を説明するための図であって、（ａ），（ｂ）はコーキング材を付設した状態と該コーキング材でボード端部を封止した状態を示す拡大図である。
【符号の説明】
１…間仕切り壁、２…天井面、３…床面、４，５…隣接する内壁面、１１，１２…上、下ランナ、１３，１４…左、右ランナ、１５，１６，１７…スタッド、１８…角パイプ（スペーサ）、２１…断熱材、２２，２３…石膏ボード、２４…ビス。
【図１】
2004084221.tif 000003
【図２】
2004084221.tif 000004
【図３】
2004084221.tif 000005
【図４】
2004084221.tif 000006
【図５】
2004084221.tif 000007
【図６】
2004084221.tif 000008
【図７】
2004084221.tif 000009